(57)【要約】【課題】    竪樋控え金具を取付具に取りつける際、手間がかからないようにして取りつけることができるようにした、竪樋控え金具と取付具との接合構造を提供する。【解決手段】  竪樋等のパイプを抱持する把持部２、及びその把持部２から突出される取付部３、とから成る竪樋控え金具１と、後部に壁面等へ固定される固定部６を備えるとともに前部に竪樋控え金具１の取付部３が取り付けられる取付片７を備えた取付具５と、竪樋控え金具１の取付部３と取付具５の取付片７とを接合する接合具１０、１１と、から成り、竪樋控え金具１の取付部３にあっては、取付具５の取付片７に載置する突片８が設けられている。【選択図】図１
2005282213.tif 000002
【特許請求の範囲】
【請求項１】
竪樋等のパイプを抱持する把持部、及びその把持部から突出される取付部、とから成る竪樋控え金具と、
後部に壁面等へ固定される固定部を備え、前部に前記竪樋控え金具の取付部が取り付けられる取付片を備えた取付具と、
前記竪樋控え金具の取付部と前記取付具の取付片とを接合する接合具と、
から成り、
前記竪樋控え金具の取付部には、取付具の取付片に載置する突片が設けられていることを特徴とする、竪樋控え金具と取付具との接合構造。
【請求項２】
竪樋等のパイプを抱持する把持部、及びその把持部から突出される取付部、とから成る竪樋控え金具と、
後部に壁面等へ固定される固定部を備え、前部に前記竪樋控え金具の取付部が取り付けられる取付片を備えた取付具と、
前記竪樋控え金具の取付部と前記取付具の取付片とを接合する接合具と、
から成り、
前記取付具の取付片には、竪樋控え金具の取付部が載置されるための載置片を設けたことを特徴とする、竪樋控え金具と取付具との接合構造。
【発明の詳細な説明】
【技術分野】
【０００１】
本発明は、竪樋控え金具と取付具との接合構造に関する。
【背景技術】
【０００２】
従来、竪樋を壁面等に設置するための竪樋控え金具と取付具との接合構造にあっては、例えば特許文献１に開示のようなものが知られている。このものにあっては、壁面等に設置する取付具の形状は、壁面等へ固定する固定部と、固定部から前方へ突出するとともに孔を備えた取付片とから成る。一方竪樋控え金具は、竪樋を把持する把持部と、把持部の両端に屈曲するとともに貫通孔を有する屈曲部を備える。この竪樋控え金具と取付具との接合に関しては、竪樋控え金具の把持部により竪樋を把持した上で、竪樋控え金具の貫通孔と、取付具の取付片の孔とを、ネジ等の固定具により固定する。
【０００３】
しかし、竪樋控え金具を取付具に接合するにあたり、ネジ等の固定具により固定するまでは、竪樋控え金具が取付具に対して、竪樋控え金具を手で支えないと安定しないため、接合するのに手間がかかる。特に高所での作業では、この作業に手間がかかる。
【特許文献１】特開２００１−２６３５４０号公報
【発明の開示】
【発明が解決しようとする課題】
【０００４】
本願発明は、上記従来の背景技術に鑑みて発明されたものであり、その課題は、竪樋控え金具を取付具に取りつける際、手間がかからないようにして取りつけることができるようにした、竪樋控え金具と取付具との接合構造を提供することである。
【課題を解決するための手段】
【０００５】
上記課題を解決するために、本願の請求項１記載の発明の竪樋控え金具と取付具との接合構造は、竪樋等のパイプを抱持する把持部、及びその把持部から突出される取付部、とから成る竪樋控え金具と、後部に壁面等へ固定される固定部を備え、前部に前記竪樋控え金具の取付部が取り付けられる取付片を備えた取付具と、前記竪樋控え金具の取付部と前記取付具の取付片とを接合する接合具と、から成り、前記竪樋控え金具の取付部にあっては、取付具の取付片に載置する突片が設けられていることを特徴とする。
【０００６】
また、本願の請求項２記載の発明の竪樋控え金具と取付具との接合構造は、竪樋等のパイプを抱持する把持部、及びその把持部から突出される取付部、とから成る竪樋控え金具と、後部に壁面等へ固定される固定部を備え、前部に前記竪樋控え金具の取付部が取り付けられる取付片を備えた取付具と、前記竪樋控え金具の取付部と前記取付具の取付片とを接合する接合具と、から成り、前記取付具の取付片には、竪樋控え金具の取付部が載置されるための載置片を設けたことを特徴とする。
【発明の効果】
【０００７】
本願の請求項１記載の発明の竪樋控え金具と取付具との接合構造は、竪樋控え金具の取付部の突片が取付具の取付片に載置されるため、竪樋控え金具が取付具から落ちることは抑制される。従って、竪樋控え金具と取付具との位置合わせが容易にでき、手間無く接合具により接合することができる。
【０００８】
本願の請求項２記載の発明の竪樋控え金具と取付具との接合構造は、取付具の取付片に設けた載置片に、竪樋控え金具の取付部が載置されるため、竪樋控え金具が取付具から落ちることは抑制される。従って、竪樋控え金具と取付具との位置合わせが容易にでき、手間無く接合具により接合することができる。
【発明を実施するための最良の形態】
【０００９】
本願の第１の実施形態における竪樋控え金具と取付具との接合構造について説明する。
【００１０】
竪樋控え金具１にあっては、竪樋（図示せず）の胴部を抱くように把持する把持部２と、その把持部２の両端から後方に折曲して突出する取付部３、３’とから成る。そしてこの取付部３、３’には、貫通孔４が設けられている。そして、この取付部３の上端には、取付部３から略９０度に折曲した状態で突出する突片８が設けられている。一方、取付部３’の下端には取付部３’から略９０度に折曲した状態で突出する突片８’が設けられている（図４）。
【００１１】
また竪樋控え金具１を取りつける取付具５が、家屋の外壁に取りつけられる。その取付具５は、外壁に固定される固定部６と、固定部６から前方へ突出する取付片７と、から成る。そして、この取付片７に孔９が設けられている（図１）。
【００１２】
この取付具５の取付片７の孔９に、竪樋控え金具１の貫通孔４を合わせるように配置させる。
そして、その孔同士に、ネジ（ボルト１０）をさし込み、ナット１１で締め付ける。これにより、竪樋控え金具１を取付具５に取りつけることができる。
【００１３】
この取り付けの際、竪樋控え金具１の把持部２の両端に存する取付部３、３’の間に、取付片７を嵌め込み、孔９と貫通孔４との位置を合わせる。そして、竪樋控え金具１の突片８を取付具５の取付片７上端に載置させる（図４）。また、突片８’を取付片７の下端に接するようにする。そして、突片８の取付片７上端への載置、及び突片８’の取付片７の下端への接することにより、竪樋控え金具１から手を離しても孔９と貫通孔４との位置が合致する。従って、その孔同士にネジ（ボルト１０）をさし込み、ナット１１で締め付けることができる。
【００１４】
この取付具５の形状にあっては、図２に示すように、取付片７の孔９の形状が、竪樋控え金具１の前後に配置の貫通孔４、４共通の一つの長孔形状であってもよい。また図３に示すように、取付片７と固定部６が別々のものであって、取付片７の雄ネジ１２が固定部６の雌ネジ１３に取り付けられるものであっても良い。
【００１５】
この取付部３に設けられた突片８は、取付片７の上面に載置されることが必要である。またこの突片８に関しては、図４に示すように、取付片７を囲むように、例えば左側取付部３の上端から突片８が右側取付部３’上方へ向かって突出し、一方右側取付部３’の下端から突片８’が左側取付部３下方へ向かって突出しているものであっても良い。この突片８、８’により、貫通孔４、４’と孔９の高さ位置が略揃う。故にこの貫通孔４、４’と孔９に、ネジ（ボルト１０）を差し込むことができる。また、この突片８が取付片７に載置されることにより、竪樋控え金具１を手でしっかりと保持しなくとも、竪樋控え金具１が取付具５の取付片７から外れて落下することが抑制されるため、ネジ（ボルト１０）とナット１１により竪樋控え金具１を取付具５に接合する作業が容易にできる。
【００１６】
次に本願の第２の実施形態における竪樋控え金具と取付具との接合構造について説明する。取付具５、及び竪樋控え金具１の殆どの形状は、第１の実施形態と共通するので、説明は省略する。そして、取付具５にあっては、取付片７の下端から左右両方向に載置片１４、１４’が突出する（図５、図６）。この載置片１４に竪樋控え金具１の左右の取付部３、３’が載置される（図６）。従って、竪樋控え金具１の左右の取付部３、３’が載置片１４に載置されると、取付片７の孔９と竪樋控え金具１の貫通孔４、４’の高さ位置が略揃う。故にこの貫通孔４、４’孔９に、ネジ（ボルト１０）を差し込むことができる。また、竪樋控え金具１の左右の取付部３、３’が載置片１４に載置されることにより、竪樋控え金具１を手でしっかりと保持しなくとも、竪樋控え金具１が取付具５から外れて落下することが抑制されるため、ネジ（ボルト１０）とナット１１により竪樋控え金具１を取付具５に接合する作業が容易にできる。
【図面の簡単な説明】
【００１７】
【図１】本願発明の第１の実施形態である竪樋控え金具と取付具との接合構造における第１実施例であって、（ａ）は竪樋控え金具の取付具への取付方法を示す説明図であり、（ｂ）は竪樋控え金具が取付具へ取り付けた状態を示す斜視図である。
【図２】本願発明の第１の実施形態である竪樋控え金具と取付具との接合構造における第２実施例であって、（ａ）は竪樋控え金具の取付具への取付方法を示す説明図であり、（ｂ）は竪樋控え金具が取付具へ取り付けた状態を示す斜視図である。
【図３】本願発明の第１の実施形態である竪樋控え金具と取付具との接合構造における第３実施例であって、（ａ）は竪樋控え金具の取付具への取付方法を示す説明図であり、（ｂ）は竪樋控え金具が取付具へ取り付けた状態を示す斜視図である。
【図４】本願発明の第１の実施形態である竪樋控え金具と取付具との接合構造における、竪樋控え金具の取付部と取付具の取付片との関係を示す要部の断面図である。
【図５】本願発明の第２の実施形態である竪樋控え金具と取付具との接合構造における１実施例であって、（ａ）は竪樋控え金具の取付具への取付方法を示す説明図であり、（ｂ）は竪樋控え金具が取付具へ取り付けた状態を示す斜視図である。
【図６】本願発明の第２の実施形態である竪樋控え金具と取付具との接合構造における、竪樋控え金具の取付部と取付具の取付片との関係を示す要部の断面図である。
【符号の説明】
【００１８】
１            竪樋控え金具
２            把持部
３、３’      取付部
５            取付具
６            固定部
７            取付片
８            突片
１０、１１    接合具
１４、１４’  載置片
【図１】
2005282213.tif 000003
【図２】
2005282213.tif 000004
【図３】
2005282213.tif 000005
【図４】
2005282213.tif 000006
【図５】
2005282213.tif 000007
【図６】
2005282213.tif 000008